(57)【要約】      （修正有）【課題】ゴルフクラブのヘッドカバーにおいて、簡単にプレーヤーの身体に保持することが可能なヘッドカバーの提供。【解決手段】ゴルフクラブのヘッドが収容されるヘッド収容部２に、柔軟性のある細長い掛け止め用部材１０を取り付け、プレーヤーのふともも後部１７に簡単に保持できて違和感のないプレーができ、置き忘れを防止することが可能に構成する。【選択図】図２
2015116462.tif 000002
【特許請求の範囲】
【請求項１】
ゴルフクラブのヘッドが収容されるヘッド収容部に、柔軟性のある細長い掛け止め用部材が取り付けられていることを特徴とするゴルフクラブのヘッドカバー。
【請求項２】
前記ヘッド収容部に、ゴルフクラブのシャフトが収容されるシャフト収容部が接合され、ヘッド収容部の頂部に前記掛け止め用部材が取り付けられている請求項１記載のゴルフクラブのヘッドカバー。
【請求項３】
前記掛け止め用部材にフック部材が取り付けられている請求項１または請求項２記載のゴルフクラブのヘッドカバー。
【発明の詳細な説明】
【技術分野】
【０００１】  この発明は、持ち運びや忘れ防止に便利なゴルフクラブのヘッドカバーに関している。
【背景技術】
【０００２】  特開２００９−２７３７４８号公報には、ゴルフクラブのヘッドカバーに取り付けられた硬質材料製のハンドルを用いて、クラブヘッドからのヘッドカバーの抜き取りを簡便に行うことが記載されている。また、特開２００８−０６８０６９号公報には、上記ハンドルと同様の機能を有するベルト状の取っ手が記載されている。
【先行技術文献】
【特許文献】
【０００３】
【特許文献１】特開２００９−２７３７４８号公報
【特許文献２】特開２００８−０６８０６９号公報
【発明の概要】
【発明が解決しようとする課題】
【０００４】  上記特許文献１および特許文献２には、ヘッドカバーをクラブから抜き取るときに掴むハンドルや取っ手に関することが記載されている。硬質材料製のハンドルやベルト状の取っ手を掴んで引っ張ることにより、抜き取り方向の力がヘッドカバーに確実に伝わる。すなわち、硬質材料製のハンドルやベルト状の取っ手は、手でしっかりと掴むのに適した形状や大きさおよび固さにしてある。このため、単純な引っ張り動作だけで簡単にヘッドカバーの抜き取りがなされ便利である。【０００５】  一方、このように簡便な動作で抜き取られたヘッドカバーを地上に置いた場合、ショット後にそれを拾い上げる動作が体力的に負担になったり、あるいは拾い忘れをしたりする恐れがある。上述のハンドルや取っ手を構成している材料が硬質であったり太くてベルト状であったりするため、ハンドルや取っ手を利用してヘッドカバーをプレーヤーの身体に保持することは不可能である。さらに、硬質のハンドルやベルト状の取っ手であると、これらがヘッドカバーから突出した状態になる。そのために、キャディバッグのクラブヘッドを覆うバッグカバーを上記突出分だけ大きくしなければならず、結果的にキャディバッグが大きくなってしまい、持ち運びの面でも不利である。【０００６】  本発明は、上記の問題点を解決するために提供されたもので、簡単にプレーヤーの身体に保持できるとともに、違和感のない保持ができるゴルフクラブのヘッドカバーの提供を目的とする。
【課題を解決するための手段】
【０００７】  請求項１記載の発明は、ゴルフクラブのヘッドが収容されるヘッド収容部に、柔軟性のある細長い掛け止め用部材が取り付けられていることを特徴とするゴルフクラブのヘッドカバーである。
【発明の効果】
【０００８】  柔軟性のある細長い掛け止め用部材が、ヘッド収容部に取り付けられているので、プレーヤーの腰ベルトに取り付けたフック機能のある部材に掛け止め用部材を引っかけることができ、上半身をかがめて地上のヘッドカバーを拾う動作がなくなり、身体的な負担が軽減される。また、プレーヤーの身体にヘッドカバーを保持した状態でプレーを行うので、ヘッドカバーの置き忘れが回避できる。さらに、掛け止め用部材が柔軟性のある細長い材料で作られているので、上記のようなフック機能のある部材を用いることなく、掛け止め用部材を腰ベルトの内側に差し込んで身体に保持することも可能である。そして、上述のような作用効果は、ドライバー用ヘッドカバーやフェアウエイウッド用ヘッドカバーだけではなく、パター用ヘッドカバーにおいても確実に得られる。【０００９】  さらに、掛け止め用部材が柔軟性のある細長い材料で作られているので、クラブをキャディバッグに差し込んだときに、掛け止め用部材はヘッドカバーに密着した状態になり、したがって、掛け止め用部材のスペースが最少化できて、好都合である。【００１０】  請求項２記載の発明は、前記ヘッド収容部に、ゴルフクラブのシャフトが収容されるシャフト収容部が接合され、ヘッド収容部の頂部に前記掛け止め用部材が取り付けられている請求項１記載のゴルフクラブのヘッドカバーである。【００１１】  通常、ヘッドカバーは、ニット製などのシャフト収容部よりも合成皮革製などのヘッド収容部の方が重たいので、掛け止め用部材を腰ベルト等に止着すると、ヘッド収容部からシャフト収容部が垂れ下がった形態となる。このときに、重たいヘッド収容部が上側に位置し、軽いシャフト収容部が下側に位置しているので、軽量のシャフト収容部が揺れ動いても太ももの後部などに接触する程度であり、プレー中の違和感や気になることがない。重たいヘッド収容部は身体に近い箇所に位置しているので、揺れ動くことが非常に少なくなり、プレー中の違和感や気になることがない。【００１２】  請求項３記載の発明は、前記掛け止め用部材にフック部材が取り付けられている請求項１または請求項２記載のゴルフクラブのヘッドカバーである。【００１３】  上記フック部材をプレーヤーの腰ベルトなどに引っかけることにより、簡単にしかも確実にヘッドカバーを身体に保持することができる。
【図面の簡単な説明】
【００１４】
【図１】ヘッドカバー全体や部分の斜視図と部分断面図である。
【図２】プレーヤーに保持されたヘッドカバーの側面図である。
【図３】他の事例を示す斜視図である。
【図４】フック部材の斜視図である。
【発明を実施するための形態】
【００１５】  つぎに、本発明のゴルフクラブのヘッドカバーを実施するための形態を説明する。
【実施例１】
【００１６】  図１〜図４は、本発明の実施例を示す。【００１７】  最初に、ヘッドカバー全体について説明する。【００１８】  図１に示すヘッドカバー１は、ドライバー用またはフェアウエイウッド用のものである。ヘッド収容部２は、合成皮革のような素材で作られており、所定の形状に裁断された上部材３と中部材４と下部材５を縫い合わせたものである。このような縫い合わせ構造によってクラブヘッドの形状に適したヘッド収容部２が構成されている。【００１９】  上部材３と中部材４と下部材５の縫い合わせ構造は、図１（Ｂ）に示すように、上部材３の周縁部を内側へ折り返した縫合部３Ａと、中部材４の周縁部を内側へ折り返した縫合部４Ａの間に装飾用の玉縁６を挟み付けて、縫合部３Ａ、縫合部４Ａ、玉縁６の３部材を一体に縫合してある。この縫合部が符号７で示され、縫い糸が図示されている。【００２０】  シャフト収容部９は、ヘッド収容部２の下端に接合された筒状の部材であり、ヘッドが通過できるように伸縮性を持たせてある。シャフト収容部９はニット製とするのが最適である。ヘッド収容部２は、クラブヘッドに傷がつくのを防止するために、容易に破れたりすることのない合成皮革のような材料で作られているので、その質量はシャフト収容部９よりも大きくなっている。【００２１】  つぎに、掛け止め用部材について説明する。【００２２】  例えば、ポリアミド製の合成繊維で作られた柔軟性のある細長い紐や、柔らかい天然皮革を紐状に切断した掛け止め用部材１０が、ヘッド収容部２に取り付けてある。ここでは、合成繊維製の紐である。以下、掛け止め用部材１０を紐１０と表現することもある。【００２３】  ヘッド収容部２の上面部分が頂部１１とされ、わずかに湾曲した上面形状とされている。紐１０は、その両端がこの頂部１１の端縁部に結合してある。紐１０の最も良好な取り付け箇所は、図１（Ａ）に示すように、頂部１１の前側部分（図１（Ａ）の左側の端縁部分）である。紐１０の両端を縫合部７において一緒に縫い付けてある。紐１０は、プレーヤーの腰ベルトに取り付けたフック機能のある部材に対して引っかけやすくするために、図１（Ａ）に示すように、適度のたるみを持たせてある。【００２４】  図１（Ａ）に示す紐１０は、前側へ膨らませたようなたるみ形状とされている。一方、同図（Ｃ）に示した紐１０は、上方に膨らませたようなたるみ形状とされている。【００２５】  あるいは、図１（Ｄ）に示すように、頂部１１の前端部に紐１０の端部を接近させて縫い付け、前側へリング状に膨らませた形状とされている。つまり、しゃもじ型のような紐形状とされている。【００２６】  つぎに、ヘッドカバーの保持状態を説明する。【００２７】  図２（Ａ）は、プレーヤーにヘッドカバー１が保持されている状態を示している。腰ベルト１２にフック機能のある部材１３、すなわち係止部材１３が取り付けてある。この係止部材１３の構造としては種々なものが考えられるが、ここでは平板を屈曲させた事例である。合成樹脂を屈曲形状に型成型をすることもできるが、ここではアルミニウム板を屈曲させたものである。【００２８】  係止部材１３は、下向きに開放している断面Ｕ字型の挿入部１４と、挿入部１４の下部から上方に伸び���フック片１５によって構成されている。挿入部１４の内側空間に腰ベルト１２が入るように係止部材１３を装着する。この状態でたるみのある紐１０をフック片１５と挿入部１４の間に差し入れて、引っかけ状態にする。【００２９】  このように引っかけることにより、ヘッド収容部２の前端部がプレーヤーの臀部（おしりの部分）１６に当たり、シャフト収容部９は垂れ下がった状態になる。符号１７は、プレーヤーの太もも後部を示している。【００３０】  紐１０を図１（Ａ）に２点鎖線で示すように、頂部１１の中央付近を横断するような状態で取り付けることも可能である。【００３１】  また、紐１０のたるみ長さを長くして、腰ベルト１２と身体の間に挟み込むようにして、ヘッドカバー１の保持をすることも可能である。【００３２】  つぎに、他の事例について説明する。【００３３】  図３は、パターヘッドのヘッドカバーの場合である。ヘッドカバー１の上部材３の端部近傍に掛け止め用部材１０が取り付けてある。ここでの紐１０は、柔軟性のある細長い帯状の部材で構成され、その両端は鋲１８で上部材３の端部近傍、すなわち上部材３の前端近傍に止着してある。なお、符号１９はパターヘッドに結合されているシャフトである。それ以外の構成は、図示されていない部分も含めて先の事例と同じであり、同様な機能の部材には同一の符号が記載してある。【００３４】  つぎに、他の引っかけ構造を説明する。【００３５】  先の事例では、係止部材１３を腰ベルト１２に装着するものであるが、この事例は前記係止部材１３に相当する部材を、紐１０側に配置したものである。下向きに開放した引っ掛け部２０の下部に、貫通孔を有する挿通部２１が設けられ、ここに紐１０が通っている。この引っ掛け部材２０と挿通部２１によって構成された部品が、フック部材２２である。【００３６】  この引っ掛け部２０を腰ベルト１２に引っ掛けて図２（Ａ）に示す保持状態と同様なヘッドカバー保持がなされる。【００３７】  以上に説明した実施例の作用効果は、つぎのとおりである。【００３８】  柔軟性のある細長い掛け止め用部材１０、すなわち紐１０が、ヘッド収容部２に取り付けられているので、プレーヤーの腰ベルト１２に取り付けたフック機能のある部材１３、すなわち係止部材１３に紐１０を引っかけることができ、上半身をかがめて地上のヘッドカバー１を拾う動作がなくなり、身体的な負担が軽減される。また、プレーヤーの身体にヘッドカバー１を保持した状態でプレーを行うので、ヘッドカバー１の置き忘れが回避できる。さらに、掛け止め用部材１０が柔軟性のある細長い材料で作られているので、上記のようなフック機能のある部材１３を用いることなく、掛け止め用部材１０を腰ベルトの内側に差し込んで身体に保持することも可能である。そして、上述のような作用効果は、ドライバー用ヘッドカバーやフェアウエイウッド用ヘッドカバーだけではなく、パター用ヘッドカバーにおいても確実に得られる。【００３９】  さらに、掛け止め用部材１０が柔軟性のある細長い材料で作られているので、クラブをキャディバッグに差し込んだときに、掛け止め用部材１０はヘッドカバー１に密着した状態になり、したがって、掛け止め用部材１０のスペースが最少化できて、好都合である。【００４０】  前記ヘッド収容部２に、ゴルフクラブのシャフトが収容されるシャフト収容部９が接合され、ヘッド収容部２の頂部１１に前記掛け止め用部材１０が取り付けられている。【００４１】  通常、ヘッドカバー１は、ニット製などのシャフト収容部９よりも合成皮革製などのヘッド収容部２の方が重たいので、掛け止め用部材１０を腰ベルト１２等に止着すると、ヘッド収容部２からシャフト収容部９が垂れ下がった形態となる。このときに、重たいヘッド収容部２が上側に位置し、軽いシャフト収容部９が下側に位置しているので、軽量のシャフト収容部９が揺れ動いても太ももの後部１７などに接触する程度であり、プレー中の違和感や気になることがない。重たいヘッド収容部２は身体に近い箇所に位置しているので、揺れ動くことが非常に少なくなり、プレー中の違和感や気になることがない。【００４２】  前記掛け止め用部材１０にフック部材２２が取り付けられている。【００４３】  上記フック部材２２をプレーヤーの腰ベルト１２などに引っかけることにより、簡単にしかも確実にヘッドカバー１を身体に保持することができる。
【産業上の利用可能性】
【００４４】  上述のように、本発明は、簡単にプレーヤーの身体に保持できるとともに、違和感のない保持ができるゴルフクラブのヘッドカバーである。したがって、身体をかがめて拾ったり置き忘れたりすることがなく、ゴルフ用品として広い利用ができる。
【符号の説明】
【００４５】  １    ヘッドカバー
２    ヘッド収容部
３    上部材
３Ａ  縫合部
４    中部材
４Ａ  縫合部
５    下部材
９    シャフト収容部
１０    掛け止め用部材、紐
１１    頂部
１３    係止部材、フック機能のある部材
２０    引っ掛け部
２１    挿通部
２２    フック部材
【図１】
2015116462.tif 000003
【図２】
2015116462.tif 000004
【図３】
2015116462.tif 000005
【図４】
2015116462.tif 000006
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
ゴルフクラブのヘッドが収容されるヘッド収容部に、柔軟性のある細長い紐状の掛け止め用部材が取り付けられているものであって、
前記ヘッド収容部に、ゴルフクラブのシャフトが収容されるシャフト収容部が接合され、ヘッド収容部の頂部に前記掛け止め用部材が取り付けられており、
前記頂部はヘッド収容部の上面部分に形成され、所定形状に裁断されヘッド収容部を形成する部材の縫合部に、紐状の掛け止め用部材の両端が結合され、紐状の掛け止め用部材にたるみを持たせてあることを特徴とするゴルフクラブのヘッドカバー。
【請求項２】
前記掛け止め用部材にフック部材が取り付けられている請求項１記載のゴルフクラブのヘッドカバー。
【手続補正２】
【補正対象書類名】明細書
【補正対象項目名】０００７
【補正方法】変更
【補正の内容】
【０００７】  請求項１記載の発明は、ゴルフクラブのヘッドが収容されるヘッド収容部に、柔軟性のある細長い紐状の掛け止め用部材が取り付けられているものであって、前記ヘッド収容部に、ゴルフクラブのシャフトが収容されるシャフト収容部が接合され、ヘッド収容部の頂部に前記掛け止め用部材が取り付けられており、前記頂部はヘッド収容部の上面部分に形成され、所定形状に裁断されヘッド収容部を形成する部材の縫合部に、紐状の掛け止め用部材の両端が結合され、紐状の掛け止め用部材にたるみを持たせてあることを特徴とするゴルフクラブのヘッドカバーである。
【手続補正３】
【補正対象書類名】明細書
【補正対象項目名】００１０
【補正方法】変更
【補正の内容】
【００１０】  前記ヘッド収容部に、ゴルフクラブのシャフトが収容されるシャフト収容部が接合され、ヘッド収容部の頂部に前記掛け止め用部材が取り付けられている。
【手続補正４】
【補正対象書類名】明細書
【補正対象項目名】００１２
【補正方法】変更
【補正の内容】
【００１２】請求項２記載のの発明は、前記掛け止め用部材にフック部材が取り付けられている請求項１記載のゴルフクラブのヘッドカバーである。